(57)【特許請求の範囲】
【請求項１】
筒状壁と底壁を備えた有底筒状の筒部を有し、容器本体の口部の側に螺着される計量キャップであって、
前記筒状壁の外周面の周方向に間隔を介した複数位置のそれぞれに、複数のリブ群のそれぞれが形成され、
各リブ群は該筒状壁の外周面の周方向に隣接して軸方向に延在し、かつ該外周面から立上がる複数のリブから構成され、
各リブ群を構成する複数のリブは、手指に把持されて前記計量キャップを容器本体の口部に螺合又は螺合解除させる閉め力又は開き力が付与可能にされ、
各リブ群を構成する複数のリブのうちの少なくとも一部のリブは、当該リブの立上がり端における該筒状壁の外周面の周方向で閉め力が付与される側の曲率半径を開き力が付与される側の曲率半径より小さく設定されている計量キャップ。
【請求項２】
前記各リブ群のそれぞれが、前記筒部の軸方向に沿う底面視で各リブ群を結んだ直線が該筒状壁の軸心を囲む多角形状輪郭の少なくとも一部をなす請求項１に記載の計量キャップ。
【請求項３】
前記各リブ群を構成する複数のリブが、前記筒状壁の周方向の両側に位置する両側リブと、両側リブに挟まれる中央リブからなり、該中央リブにおける該筒状壁の外周面から立上がる高さが両側リブにおける該筒状壁の外周面から立上がる高さより高い請求項１又は２に記載の計量キャップ。
【請求項４】
前記各リブ群を構成する各リブの前記筒部における前記底壁寄りの端部が、該筒部の軸方向において該底壁から離隔されている請求項１乃至３のいずれかに記載の計量キャップ。
【請求項５】
前記筒部は、容器本体の口部の側に螺合するねじ部を備えた外筒部と、この外筒部の内側において筒状壁と底壁を備えた有底筒状の内筒部と、これらの外筒部の端部と内筒部の筒状壁との間を閉じる環状壁とを有し、
前記内筒部は、前記外筒部よりも軸方向に突出しており、該内筒部における前記底壁側の前記筒状壁の外周面に前記リブ群が形成されている、請求項１乃至４のいずれかに記載の計量キャップ。
【請求項６】
前記内筒部における前記筒状壁の一部に横断面略Ｖ字状に屈曲した平面部が形成されている請求項５に記載の計量キャップ。
【請求項７】
前記内筒部における前記筒状壁の外周面又は内周面には、前記リブ群を避けたところに、計量用目盛が施されている請求項５又は６に記載の計量キャップ。
【請求項８】
前記内筒部における前記筒状壁のうち、前記外筒部に囲まれる部分には、該筒状壁の外周面に計量用目盛が施されている請求項５乃至７のいずれかに記載の計量キャップ。
【発明の詳細な説明】
【技術分野】
【０００１】
本発明は計量キャップに関する。
【背景技術】
【０００２】
液体洗剤、液体柔軟剤、漂白剤等の液体を収容した容器本体に蓋として装着されるとともに、容器本体内の液体を計量し、或いは適量を取り分け、少量ずつ塗布使用する等のために用いられる計量キャップがある。
【０００３】
従来の計量キャップにおいて、容器本体の口部に螺着されるキャップの手指を用いた開閉操作性に関する技術として、特許文献１、２に記載のものがある。
【０００４】
特許文献１に記載のキャップは、キャップの外周面から立上げられて縦向き並んだ多数のかまぼこ状凸部のそれぞれを、縦に右半分を切除した半かまぼこ状凸部としたものである。このキャップを開けるとき、手指によってキャップの半かまぼこ状凸部に開き力を付与してこのキャップを左回りに回そうとすると、手指は半かまぼこ状凸部の丸みが切除された右半分の平面にしっかりと引っ掛り、開け易くなる、というものである。
【０００５】
特許文献２に記載のキャップは、キャップの外周面に形成した突状のローレットが、キャップ軸まわりの回転方向で閉栓時に指がかかる第１斜面と、開栓時に指がかかる第２斜面とを有し、第１斜面の傾斜角度を第２斜面よりも小さくしたものである。このキャップを閉めるとき、指がかかる突状のローレットの第１斜面が緩やかな斜面であって滑り易く、閉め方向へ回転操作しずらくなり、閉め過ぎを回避できる。また、キャップを開けるときには、指がかかる第２斜面が急傾斜となっていて、強く指がかかって開き方向へ回転操作し易く、開け易くなる、というものである。
【先行技術文献】
【特許文献】
【０００６】
【特許文献１】特開2015-93735号公報
【特許文献２】特開2015-140214号公報
【発明の概要】
【発明が解決しようとする課題】
【０００７】
特許文献１に記載のキャップでは、このキャップを閉めるとき、指がかかる半かまぼこ状凸部の左半分が丸みを帯びていて、この丸みを強く把持する指に痛みを及ぼすことがないため、強い閉じ力を付与し易く、閉め過ぎになり易い。
【０００８】
また、特許文献１に記載のキャップでは、キャップの半かまぼこ状凸部の右半分で丸みが切除された平面の立上がり端が、左半部の丸みと交差して尖り状角部を形成する。このため、このキャップを開けるとき、半かまぼこ状凸部の右半分の平面にかかる指が上述の尖り状角部に当たって痛みを覚え、強い開き力を付与しずらく、開けにくい。
【０００９】
特許文献２に記載のキャップでは、このキャップを閉めるとき、指がかかる突状のローレットの第１斜面が緩やかな斜面であっても、手指のグリップ力が強ければ滑ることなく強い閉め力を付与するものになり、閉め過ぎを生ずるおそれがある。
【００１０】
また、特許文献２に記載のキャップでは、キャップの突状のローレットが第１斜面と第２斜面の交差部に尖り状角部を形成する。このため、このキャップを開けるとき、ローレットの第２斜面にかかる指が上述の尖り状角部に当たって痛みを覚え、強い開き力を付与しずらく、開けにくい。
【００１１】
本発明の課題は、繰り返し使用する計量キャップにおいて、容器本体の口部に螺着して開閉するに際し、開け易く、閉め過ぎにくい計量キャップを提供することにある。
【課題を解決するための手段】
【００１２】
請求項１に係る発明は、筒状壁と底壁を備えた有底筒状の筒部を有し、容器本体の口部の側に螺着される計量キャップであって、前記筒状壁の外周面の周方向に間隔を介した複数位置のそれぞれに、複数のリブ群のそれぞれが形成され、各リブ群は該筒状壁の外周面の周方向に隣接して軸方向に延在し、かつ該外周面から立上がる複数のリブから構成され、各リブ群を構成する複数のリブは、手指に把持されて前記計量キャップを容器本体の口部に螺合又は螺合解除させる閉め力又は開き力が付与可能にされ、各リブ群を構成する複数のリブのうちの少なくとも一部のリブは、当該リブの立上がり端における該筒状壁の外周面の周方向で閉め力が付与される側の曲率半径を開き力が付与される側の曲率半径より小さく設定されているようにしたものである。
【発明の効果】
【００１３】
本発明によれば、計量キャップの筒部における筒状壁の外周面に複数のリブ群を形成し、各リブ群を構成する複数のリブのうちの少なくとも一部のリブは、当該リブの立上がり端における該筒状壁の外周面の周方向で閉め力が付与される側の曲率半径を開き力が付与される側の曲率半径より小さく設定されている。これにより、繰り返し使用する計量キャップにおいて、容器本体の口部に螺着して開閉するに際し、開け易く、閉め過ぎにくい計量キャップを得ることができる。
【図面の簡単な説明】
【００１４】
【図１】図１は容器本体に注出キャップ及び計量キャップを取付けた状態を示す外観図である。
【図２】図２は容器本体に注出キャップ及び計量キャップを取付けた状態を示す断面図である。
【図３】図３は計量キャップの外観を示す正面図である。
【図４】図４は図３に示す計量キャップの断面図である。
【図５】図５は図３に示す計量キャップの底面図である。
【図６】図６は計量キャップへの内容液の注出状態を示す斜視図である。
【図７】図７は計量キャップに形成したリブ群の１つを示し、（Ａ）は模式側面図、（Ｂ）は模式正面図、（Ｃ）は底壁の側から視た模式底面図、（Ｄ）は（Ｂ）の要部拡大図、（Ｅ）は（Ｃ）の要部拡大図である。
【図８】図８は計量キャップの複数の変形例を示し、（Ａ）は第１変形例の底面図、（Ｂ）は第２変形例の底面図、（Ｃ）は第３変形例の底面図である。
【発明を実施するための形態】
【００１５】
以下、本発明をその好ましい実施形態に基づいて説明する。
本発明の計量キャップ１００は、容器本体１の口部２の側に螺着される。計量キャップ１００は、容器本体１の口部２に、直に螺着されても良いが、図１、図２に示す本実施形態の如くに注出キャップ２００を介して螺着されても良い。
【００１６】
尚、本実施形態では、容器本体１の口部２、計量キャップ１００及び注出キャップ２００は、それらの中心軸を共通軸Ｏ上に配置して組立てられる。以下、容器本体１を正立させた状態で、この共通軸Ｏに沿う方向を上下方向とし、共通軸Ｏに沿って計量キャップ１００の側を上側、容器本体１の側を下側とする。また、共通軸Ｏに沿う方向を軸方向と称し、本明細書において単に軸方向と記す場合も同様である。
【００１７】
容器本体１の口部２に計量キャップ１００を取付けるに際し、注出キャップ２００を設けることは必ずしも必要ではないが、容器本体１から計量キャップ１００への液体の注出を容易にする点から、容器本体１の口部２に注出キャップ２００を設けることが好ましい。
【００１８】
注出キャップ２００は、ポリプロピレン等の合成樹脂成形体からなり、液体を注出可能にする嘴状の注出筒２０１を有する。注出キャップ２００は、注出筒２０１との間に液回収空間２０２を設けて該注出筒２０１を囲み、かつ該注出筒２０１に底壁部２０３で結合された周壁部２０４を有するとともに、該周壁部２０４の軸方向中間部に結合されて該周壁部２０４を囲む外筒部２０５を有する。注出キャップ２００は、外筒部２０５の内周締結部２０５Ａを容器本体１の口部２に設けた外周締結部（不図示）に締結可能にするとともに、周壁部２０４の上端側の外周ねじ部２０４Ａに計量キャップ１００の外筒部１０に備えた内周ねじ部１１を螺合可能にしている。
【００１９】
ここで、注出キャップ２００は、注出筒２０１を底壁部２０３から立上げ、注出筒２０１の上端に注出口２０１Ａを形成するとともに、底壁部２０３の面内に位置する注出筒２０１に下端に容器本体１の内部空間に連通する開口部２０１Ｋを形成している。また、注出キャップ２００は、注出筒２０１からの液注出方向側を前側とし、その反対側を後側とするとき、注出筒２０１の後側側面にその軸方向の全長に渡って径方向に貫くスリット２０１Ｓを形成している。底壁部２０３は前側から後側に向って漸次、下り勾配をなすように傾斜している。底壁部２０３における注出筒２０１の後側には開口部２０１Ｋの後端及びスリット２０１Ｓの下端につながる略矩形状の液回収口２０３Ａが形成される。計量キャップ１００を注出キャップ２００から取外した状態で、容器本体１を液注出方向に向けて傾けることにより、容器本体１の内容液を注出キャップ２００の嘴状の注出筒２０１から容易に注出できる。また、この注出に伴って注出筒２０１と周壁部２０４の間の液回収空間２０２に進入した液体をスリット２０１Ｓ、開口部２０１Ｋ、液回収口２０３Ａから容器本体１内に回収可能にする。
【００２０】
尚、注出キャップ２００は、注出筒２０１における周壁部２０４の上端部よりも上方に位置する外周面であって、注出筒２０１からの液注出方向（前方）を臨む中央部に、容器本体１の内容液が注出筒２０１を通して注出される相手容器としての計量キャップ１００の開口縁部に係止可能な係止部２０６が形成されている。
【００２１】
計量キャップ１００は、ポリプロピレン等の合成樹脂成形体からなり（透明体又は半透明体からなることが好ましい）、筒状壁２１と底壁２２を備えた有底筒状の筒部を有し、容器本体１の口部２の側に螺着される。本実施形態の筒部は、詳細には、図１乃至図５に示す如く、容器本体１の口部２に設けた注出キャップ２００における周壁部２０４の外周ねじ部２０４Ａに螺合する内周ねじ部１１を備えた外筒部１０と、この外筒部１０の内側において筒状壁２１と底壁２２を備えた有底筒状の内筒部２０とを有する。内筒部２０の内部が液体計量空間になる。内筒部２０は、外筒部１０よりも軸方向の上側及び下側に突出している。内筒部２０の筒状壁２１と底壁２２とは、円弧を持って連続している。外筒部１０の外周面には公知のローレット１０Ｒが設けられ、内筒部２０における筒状壁２１の外周面には後述するリブ群３０が設けられている。外筒部１０と内筒部２０の筒状壁２１とはそれらの中心軸を同軸配置し、内筒部２０は筒状壁２１の軸方向の一端を開口部２１Ａとし、筒状壁２１の軸方向の他端に底壁２２を設けて、この他端を閉塞している。尚、底壁２２は、計量キャップ１００を、容器本体１の口部２の側に螺着した状態では、計量キャップ１００の天面となる。
【００２２】
計量キャップ１００は、外筒部１０の軸方向に沿う底壁２２寄りの端部と、内筒部２０の筒状壁２１の軸方向に沿う中間部との間を閉じる環状壁２３を有する。
【００２３】
また、本実施形態の計量キャップ１００は、図１に示すように、内筒部２０における筒状壁２１の周方向の一部に、２つの平面２４Ａ、２４ＢがＶ字状に交差したＶ字状屈曲部２４が形成されており、このＶ字状屈曲部２４を該内筒部２０の軸方向で筒状壁２１の一端側から他端側にまで連続形成している。Ｖ字状屈曲部２４は、Ｖ字の頂部Ｖ0と、Ｖ字の両側端部Ｖ1、Ｖ2とを結んで形成される。図６のように内筒部２０内に内容液が注入された後は、内筒部２０の外筒部１０より開口部２１Ａ側に形成されたＶ字状屈曲部２４は注出部２５となる。
【００２４】
計量キャップ１００は、正立させた容器本体１の口部２に嵌合された注出キャップ２００の周壁部２０４が備える外周ねじ部２０４Ａに対し、内筒部２０の底壁２２を上側に配置させた状態で、外筒部１０が備える内周ねじ部１１を着脱して使用される。
【００２５】
従って、容器本体１の内容液を注出するときには、計量キャップ１００の外筒部１０又は内筒部２０の筒状壁２１を把持し、この計量キャップ１００を周方向に回して注出キャップ２００から取外すとともに、注出キャップ２００の注出筒２０１を露出させる。
【００２６】
次いで、計量キャップ１００の中心軸と注出キャップ２００の中心軸とを交差させるように配置するとともに、注出キャップ２００の注出筒２０１における外周面に形成している前述の係止部２０６を計量キャップ１００の内筒部２０における開口部２１Ａの縁部に当接させる。この状態で、図６に示す如く、容器本体１を傾けて、注出筒２０１の注出口２０１Ａから計量キャップ１００の内筒部２０内に内容液を計量しながら注入する。そしてその後、この計量された内容液を計量キャップ１００の内筒部２０から、例えば洗濯機、洗面器、衣料等に対して全量注ぎ出す。内筒部２０からの注ぎ出しに際しては、注出部２５側から注ぐことで、計量キャップ１００の注ぎ易さが向上する。内容液の注ぎ出しが完了したら、上述と逆の手順で計量キャップ１００を注出キャップ２００に取付ける。
【００２７】
しかるに、計量キャップ１００は、図３、図７に示す如く、外筒部１０よりも軸方向に突出している内筒部２０における底壁２２側の筒状壁２１の外周面の周方向に間隔を介した複数位置（本実施例では図５に示す如くの２位置）のそれぞれに、複数のリブ群３０のそれぞれが形成されている。
【００２８】
各リブ群３０は、内筒部２０における筒状壁２１の外周面の周方向に隣接して軸方向に延在し、かつ該外周面から立上がる複数のリブ３１から構成される。本実施例では、４個のリブ３１によって１つのリブ群３０を構成し、各リブ３１は筒状壁２１の軸方向で環状壁２３に接する一端部から底壁２２寄りの他端部に向けて延在されている。
【００２９】
ここで、各リブ群３０を構成する複数のリブ３１は、内筒部２０における筒状壁２１の周方向の両側に位置する両側リブ３１Ｂと、両側リブ３１Ｂに挟まれる中央リブ３１Ａからなり、図７（Ｃ）、（Ｅ）に示す如く、中央リブ３１Ａにおける筒状壁２１の外周面から立上がる高さＨaが両側リブ３１Ｂにおける筒状壁２１の外周面から立上がる高さＨbより高いものにしている。本実施例では、２個の中央リブ３１Ａと２個の両側リブ３１Ｂによって１つのリブ群３０を構成している。尚、図７（Ｃ）はリブ群３０を底壁２２の側から視た図であり、各リブ３１の先端を図上の上向きに配した。
【００３０】
計量キャップ１００を注入キャップ２００に対して着脱するに際し、例えば親指と人差し指と中指が内筒部２０における筒状壁２１の外周面を把持し、計量キャップ１００を周方向に回そうとするとき、各リブ群３０を構成する複数のリブ３１は、それらの手指に把持されて外筒部１０の内周ねじ部１１を容器本体１の口部２に設けた注出キャップ２００の外周ねじ部２０４Ａに螺合させる閉め力（図５、図７に示した閉め方向ｆに向けて作用する回転力）、又は螺合解除させる開き力（図５、図７に示した開き方向ｇに向けて作用する回転力）を計量キャップ１００に付与可能にするものである。
【００３１】
そして、このとき、各リブ群３０を構成する複数のリブ３１のうちの少なくとも一部のリブ、本実施例では中央リブ３１Ａは、当該中央リブ３１Ａの立上がり端における該筒状壁２１の外周面の周方向で閉め力が付与される側の曲率半径（例えばＲf ０．３mm）を、開き力が付与される側の曲率半径（例えばＲg ０．５mm）より小さく設定している。本実施例では、２個の中央リブ３１Ａのそれぞれが、この曲率半径の大小関係（Ｒf＜Ｒgの関係）を具備している。
【００３２】
尚、本実施形態の各リブ群３０において、中央リブ３１Ａの軸方向に直交する横断面形状は、図７（Ｃ）に示す如く、筒状壁２１の外周面から垂直に高く立上がった略矩形状をなし、その略矩形断面の立上がり端における該筒状壁２１の周方向に沿う両側に上述の２つの曲率半径（ＲfとＲg）を備える。また、両側リブ３１Ｂの軸方向に直交する横断面形状は、図７（Ｃ）に示す如く、筒状壁２１の外周面から突き出た略三角形状をなし、その略三角形断面の突端は丸みを帯びる。このようなリブ群３０が形成された内筒部２０の筒状壁２１にあっては、手指が内筒部２０における筒状壁２１の外周面を把持して計量キャップ１００を周方向に回そうとするとき、立上がり高さの低い突端に丸みを帯びた両側リブ３１Ｂは手指に僅かに、しかも柔らかく接して、手指が立上がり高さの高い中央リブ３１Ａにしっかり引っかかることを妨げない。
【００３３】
また、本実施形態の各リブ群３０において、中央リブ３１Ａと両側リブ３１Ｂの軸方向を含む縦断面形状はそれぞれ、図７（Ａ）に示す如く、環状壁２３に接する一端部から底壁２２寄りに向かう一定範囲については同一高さＨaとＨbで延在し、底壁２２寄りの他端部に向けてその高さを連続的に減ずるスロープ部３１Ｓを経由した後、底壁２２寄りの他端部ではその高さを零にして筒状壁２１の外周面に達する。各リブ群３０においてこのようなスロープ部３１Ｓが形成された内筒部２０の筒状壁２１にあっては、親指と人差し指と中指が計量キャップ１００の軸方向の上方から下降してきて、内筒部２０における筒状壁２１の外周面を上方から摘もうとするとき、手指の腹が筒状壁２１の外周面から連続的に、従って滑らかに高さを増す各リブ３１Ａ、３１Ｂのスロープ部３１Ｓを経由してから所定高さＨa、Ｈbの各リブ３１Ａ、３１Ｂを把持し得る軸方向位置に到達するものになる。従って、手指の腹が筒状壁２１の外周面から不連続的に立上がる各リブ３１Ａ、３１Ｂの底壁２２寄りの端部に違和感なく接し、スムーズに内筒部２０の筒状壁２１を摘むことができる。
【００３４】
また、本実施形態の各リブ群３０において、計量キャップ１００の正面視における中央リブ３１Ａの形状は、図７（Ｄ）に示す如く、長手方向に一定幅Ｗaで連続する長尺矩形状をなす。これに対し、計量キャップ１００の正面視における両側リブ３１Ｂの形状は、図７（Ｄ）に示す如く、環状壁２３に接する一端部から底壁２２寄りの他端部に向けてその幅Ｗbを一定に維持した後、底壁２２寄りの他端部ではその幅を先細り状につぼめた先細り部３１Ｔとする。先細り部３１Ｔは、各リブ３１Ｂにおいて筒状壁２１の周方向で隣接する中央リブ３１Ａに臨むことのない外側部の曲率半径（例えばＲo）を、その反対の内側部の曲率半径（例えばＲi）より大きく設定している。各リブ群３０においてこのような先細り部３１Ｔが形成された内筒部２０の筒状壁２１にあっては、親指と人差し指と中指が計量キャップ１００の軸方向の上方から下降してきて、内筒部２０における筒状壁２１の外周面を上方から摘もうとする当初に、手指の幅が筒状壁２１の外周面から立上がる各リブ群３０の両側リブ３１Ｂが備える先細り部３１Ｔにおける外側部の曲率半径に接し、違和感なくスムーズに摘むことができる。
【００３５】
また、計量キャップ１００において、各リブ群３０を構成する各リブ３１の内筒部２０における底壁２２寄りの端部は、図７（Ａ）、（Ｂ）に示す如く、該内筒部２０の軸方向において該底壁２２から、離隔している。各リブ３１の底壁２２寄りの端部は、底壁２２の厚みより下方に底壁２２から離隔している。また、計量キャップ１００は、底壁２２から筒状壁２１にかけて円弧（湾曲部）を有しており、各リブ群３０を構成する各リブ３１の内筒部２０における底壁２２寄りの端部は、図７（Ａ）、（Ｂ）に示す如く、筒状壁２１側の円弧の端部からも離隔している。筒状壁２１側の円弧の端部からの距離Ｌは、例えば３mm以上７mm以下が好ましく、より好適には５mmである。
【００３６】
また、計量キャップ１００において、各リブ群３０は、内筒部２０における筒状壁２１の円筒状外周面の周方向で離隔する各位置から前述の如くに立上って形成されており、内筒部２０の軸方向に沿う底面視（図５）で、各リブ群３０を結んだ直線（２個のリブ群３０を結んだ１本の直線）が該筒状壁２１の中心軸を囲む輪郭Ｍの一部Ｍ1を構成するものになる。従って、内筒部２０において前述のリブ群３０が設けられている底壁２２側の筒状壁２１は、内筒部２０の軸方向に沿う底面視（図５）で、２個のリブ群３０、及び前述したＶ字状屈曲部２４の頂部Ｖ0、両側端部Ｖ1、Ｖ2の全５点を結んだ直線が該筒状壁２１の中心軸を囲む略五角形状輪郭Ｍを形成するものになる。
【００３７】
従って、本実施形態の計量キャップ１００によれば、内筒部２０における筒状壁２１の外周面に上述の如くのリブ群３０を形成したことにより、以下の作用固効果を奏する。
【００３８】
(a)計量キャップ１００の内筒部２０における筒状壁２１の外周面に複数のリブ群３０を形成し、各リブ群３０を構成する複数のリブ３１のうちの少なくとも一部のリブ３１は、当該リブ３１の立上がり端における該筒状壁２１の外周面の周方向で閉め力が付与される側の曲率半径が、開き力が付与される側の曲率半径より小さく設定されている。
【００３９】
従って、内筒部２０における筒状壁２１の外周面をグリップした手指によって計量キャップ１００を閉めるとき、指がかかるリブ３１において閉め力が付与される側の曲率半径が小さい曲率半径になっている。このため、手指がリブ３１に付与する閉め力が過度に強くなると、指がリブ３１の小さい曲率半径に強く当たって痛みを覚える。従って、計量キャップ１００に強い閉じ力を付与しづらく、閉め方向へ回転操作しづらくなって閉め過ぎを生じにくい。
【００４０】
また、内筒部２０における筒状壁２１の外周面をグリップした手指によって計量キャップ１００を開けるとき、指にかかるリブ３１において、開き力が付与される側の曲率半径が大きい曲率半径になっている。手指がリブ３１に付与する開き力が強くなっても、指はリブ３１の大きい曲率半径に当たって痛みを覚えにくい。従って、計量キャップ１００に強い開き力を付与し易く、開き方向へ回転操作し易くなって開け易くなる。
【００４１】
このように、繰り返し使用する計量キャップにおいて、容器本体の口部に螺着して開閉するに際し、開け易く、閉め過ぎにくい計量キャップを得ることができる。
【００４２】
(b)計量キャップ１００において、前記各リブ群３０のそれぞれが、前記内筒部２０における前記筒状壁２１の外周面の周方向の各部から立上がって形成され、前記内筒部２０の軸方向に沿う底面視で各リブ群３０を結んだ直線が該筒状壁２１の軸心を囲む多角形状輪郭Ｍの少なくとも一部Ｍ1をなす。これにより、各リブ群３０が筒状壁２１の外周面の輪郭を多角形状に形成するものになる。従って、計量キャップ１００の開閉操作に際し、手指によって筒状壁２１の多角形状をなす外周面をグリップするものになり、その多角形状輪郭Ｍの角部を形成するものになる各リブ群３０のリブ３１に指を引っ掛け易く、計量キャップ１００を開き方向又は閉め方向へ回し易くなる。
【００４３】
(c)計量キャップ１００において、前記各リブ群３０を構成する複数のリブ３１が、前記筒状壁２１の周方向の両側に位置する両側リブ３１Ｂと、両側リブ３１Ｂに挟まれる中央リブ３１Ａからなり、該中央リブ３１Ａにおける該筒状壁２１の外周面から立ち上がる高さＨaが両側リブ３１Ｂにおける該筒状壁２１の外周面から立ち上がる高さＨbより高い。これにより、各リブ群３０が筒状壁２１の外周面の輪郭を多角形状に形成するとき、各リブ群３０を構成する複数のリブ３１のうちの中央リブ３１Ａが、両側リブ３１Ｂよりも高く立上がっていて、その輪郭の多角形状化を顕著にする。指は多角形状輪郭Ｍの角部を形成するものとなる各リブ群３０の中央リブ３１Ａに対し、より引っ掛かり易くなり、計量キャップ１００を一層回し易くなる。指がこのようにして各リブ群３０の中央リブ３１Ａにより引っ掛かり易くなる場合、リブ３１の立上がり端に設ける前述(a)の曲率半径の大小関係は中央リブ３１Ａに適用することが好ましいものになる。
【００４４】
(d)計量キャップ１００において、前記各リブ群３０を構成する各リブ３１の前記内筒部２０における前記底壁２２寄りの端部が、該内筒部２０の軸方向において該底壁２２から離隔されている。計量キャップ１００の内筒部２０の筒状壁２１における底壁２２寄りに各リブ群３０のリブ３１を設けないことから、該内筒部２０の底壁２２寄りの端部の剛性、及び該端部に外力が作用したときの応力集中の発生を、リブ３１が設けられていない分だけ低減できる。従って、計量キャップ１００が螺着された容器本体１が落下し、内筒部２０の底壁２２寄りの端部に落下の衝撃力が作用しても、該内筒部２０の破損を可及的に防止できる。
【００４５】
(e)計量キャップ１００において、前記内筒部２０における前記筒状壁２１の一部に横断面略Ｖ字状に屈曲したＶ字状屈曲部２４が形成されている。このＶ字状屈曲部２４が、筒状壁２１の外周面の輪郭を多角形状にする角部の１つになる。その多角形状輪郭Ｍの角部が、各リブ群３０によって形成されることに加えて、Ｖ字状屈曲部２４によっても形成されるものになり、筒状壁２１の外周面をグリップする手指をそれらの角部に引っ掛け、計量キャップ１００を開き方向又は閉め方向へ回し易くなる。
【００４６】
尚、計量キャップ１００にあっては、内筒部２０における筒状壁２１の外周面に設けたリブ群３０を、図８に示す如くの複数位置に形成しても良い。図８（Ａ）は筒状壁２１の円筒状外周面上の３位置に各リブ群３０を形成し、Ｖ字状屈曲部２４の頂部Ｖ0、両側端部Ｖ1、Ｖ2の存在とともに、筒状壁２１に略六角形状輪郭Ｍを形成したものである。図８（Ｂ）は筒状壁２１の円筒状外周面上の２位置と、Ｖ字状屈曲部２４の頂部Ｖ0と各端部Ｖ1、Ｖ2を結んだ２つの斜面上の各１位置に各リブ群３０を形成し、Ｖ字状屈曲部２４の頂部Ｖ0の存在とともに、筒状壁２１に略五角形状輪郭Ｍを形成したものである。図８（Ｃ）は筒状壁２１の円筒状外周面上の２位置と、Ｖ字状屈曲部２４の各端部Ｖ1、Ｖ2上の各１位置に各リブ群３０を形成し、Ｖ字状屈曲部２４の頂部Ｖ0の存在とともに、筒状壁２１に略五角形状輪郭Ｍを形成したものになる。
【００４７】
尚、計量キャップ１００にあっては、内筒部２０における筒状壁２１の外周面の周方向に間隔を介して形成されて隣接するリブ群３０の間に、それらのリブ群３０を構成するリブ３１（３１Ａ、３１Ｂ）よりは低い例えばローレット状等の凸部が形成されても良い。
【００４８】
また、１つのリブ群３０を構成するリブ３１の個数は３個以上１０個以下が好ましい。各リブ３１の好ましい高さ（筒状壁２１の外周面からの立上がり高さ）は０．１ｍｍ以上３ｍｍ以下が好ましく、０．３ｍｍ以上２ｍｍ以下がより好ましい。また、１つのリブ群３０を構成する中央リブ３１Ａと両側リブ３１Ｂの高さは同じ高さでも良い。
【００４９】
また、計量キャップ１００は外筒部１０、内筒部２０及び環状壁２３に分かれることを要さず、単一筒状体からなるものでも良い。
【００５０】
次に、計量キャップ１００が内筒部２０の筒状壁２１に備える計量用目盛について説明する。
【００５１】
計量キャップ１００は、内筒部２０における筒状壁２１の外周面又は内周面で、前記リブ群３０を避けたところに、内筒部２０に注出された液量を表示するための計量用目盛が施されている。計量用目盛としては、印刷目盛Ｐ又は彫刻目盛Ｑ1が挙げられる。詳細には、図３において、「水３０Ｌ」の目盛は筒状壁２１の外周面に施された印刷目盛Ｐ、「水５５Ｌ」の目盛は筒状壁２１の外周面に施された印刷目盛Ｐ、「水６５Ｌ」の目盛は筒状壁２１の開口縁部近くの内周面に施された彫刻目盛Ｑ1である。「水６５Ｌ」の目盛は、内筒部２０における開口部２１Ａの縁部から半径方向の外方に張り出るように形成された液切用リップ２６が筒状壁２１の外周面への印刷加工を困難にすることに鑑み、筒状壁２１の内周面に彫刻目盛Ｑ1として施されたものである。
【００５２】
また、内筒部２０における筒状壁のうち、外筒部１０に囲まれる部分には、筒状壁２１の外周面に計量用目盛が施されている。詳細には、図３において、「水４５Ｌ」の目盛は筒状壁２１における外筒部１０に囲まれる部分に設けられたものであって、筒状壁２１の外周面に施された彫刻目盛Ｑ2である。
【００５３】
尚、彫刻目盛Ｑ1、Ｑ2は、例えば、計量キャップ１００を成形する金型に目盛の線や数値を彫刻しておき、この金型の彫刻部が計量キャップ１００の成形時に該計量キャップに反映されて形成される。
【００５４】
従って、計量キャップ１００において、前記内筒部２０における前記筒状壁２１の外周面又は内周面には、前記リブ群３０を避けたところに、印刷目盛Ｐ、又は彫刻目盛Ｑ1、Ｑ2が施されている。筒状壁２１において、リブ群３０を避けたところに印刷目盛Ｐ又は彫刻目盛Ｑ1、Ｑ2の計量用目盛を施したから、それらの目盛を鮮明に視認できる。尚、筒状壁２１の外周面には印刷目盛Ｐを施すことが簡易であり、内周面又は外周面には計量キャップ１００の成形段階で彫刻目盛Ｑ1、Ｑ2を施すことが簡易である。
【００５５】
また、計量キャップ１００において、前記内筒部２０における前記筒状壁２１のうち、前記外筒部１０に囲まれる部分には、該筒状壁２１の外周面に彫刻目盛Ｑ2が施されている。筒状壁２１の外周面に目盛Ｑ2が設けられていることにより、内周面に設けるよりは、外筒部１０が存在していても目盛を鮮明に視認できる。筒状壁２１の外周面のうち、外筒部１０に邪魔されて印刷できないところに、計量キャップ１００の成形段階で簡易に彫刻目盛Ｑ2を施すことができる。
【産業上の利用可能性】
【００５６】
本発明によれば、計量キャップを容器本体の口部に螺着して開閉するに際し、開け易く、閉め過ぎにくい計量キャップを提供することができる。
【符号の説明】
【００５７】
１  容器本体
２  口部
１０  外筒部
１１  内周ねじ部
２０  内筒部
２１  筒状壁
２２  底壁
２３  環状壁
３０  リブ群
３１  リブ
３１Ａ  中央リブ
３１Ｂ  両側リブ
４０  Ｖ字状屈曲部
１００  計量キャップ
Ｍ  多角形状輪郭
Ｐ  印刷目盛
Ｑ1、Ｑ2  彫刻目盛
【図１】
0006654958.tif 000002
【図２】
0006654958.tif 000003
【図３】
0006654958.tif 000004
【図４】
0006654958.tif 000005
【図５】
0006654958.tif 000006
【図６】
0006654958.tif 000007
【図７】
0006654958.tif 000008
【図８】
0006654958.tif 000009